(57)【要約】【課題】テンプレートの選択を自動化することにより使い勝手の向上をはかり、ユーザ負荷の低減をはかる。【解決手段】複数のテンプレートが記憶された記憶部１７（テンプレートファイル１７１）と、ユーザインタフェース部（操作部１２と表示部１６）と、制御部１８と、から構成される携帯端末装置であって、制御部１８は、メール作成に先立ち、生成され画面表示されるテンプレートの選択条件設定登録画面にしたがい、ユーザにより設定登録される選択条件を取り込んで記憶部１７に記憶し、メール作成時、記憶部１７に設定登録された選択条件に基づき記憶部１７に記憶されたテンプレートを選択し、選択したテンプレートと更に取り込まれるメール本文とを編集して出力する。【選択図】図２
2009157776.tif 000002
【特許請求の範囲】
【請求項１】
複数のテンプレートが記憶された記憶部と、
入力データを取り込んでメールを作成し、編集する制御部と、を備え、
前記制御部は、
メール作成時、予め設定登録された前記テンプレートの選択条件に基づき前記記憶部に記憶されたテンプレートを選択し、メールを編集する
ことを特徴とする携帯端末装置。
【請求項２】
前記メールは、
メール本文に装飾を施すＨＴＭＬメールである
ことを特徴とする請求項１に記載の携帯端末装置。
【請求項３】
前記制御部は、
前記テンプレートの選択条件を設定登録するユーザインタフェースを提供する
ことを特徴とする請求項１に記載の携帯端末装置。
【請求項４】
前記制御部は、
前記設定登録されたテンプレートの選択条件に基づく前記テンプレートの選択と、手動操作による前記テンプレートの選択をオプションとするユーザインタフェースを提供する
ことを特徴とする請求項１に記載の携帯端末装置。
【請求項５】
前記制御部は、
前記テンプレートの選択条件として設定登録される、宛先、スケジュール、カレンダー、送受信履歴のうちの少なくとも一つ、もしくは組み合わせに合致するテンプレートを選択して出力する
ことを特徴とする請求項１に記載の携帯端末装置。
【請求項６】
前記制御部は、
受信メールを返信する際、前記テンプレートの選択条件として設定登録される、宛先、送受信履歴、スケジュール、カレンダーのうちの少なくとも一つ、もしくは組み合わせに合致するテンプレートを選択して出力する
ことを特徴とする請求項５に記載の携帯端末装置。
【請求項７】
前記制御部は、
下書きして保存してあるメールに装飾するテンプレートを、実際の送信日付に応じて変更する
ことを特徴とする請求項５または６に記載の携帯端末装置。
【請求項８】
複数のテンプレートが記憶された記憶部と、ユーザインタフェース部と、制御部と、から成る携帯端末装置におけるテンプレートの自動選択方法であって、
メール作成に先立ち、前記ユーザインタフェース部が、前記制御部により生成され画面表示される前記テンプレートの選択条件設定登録画面にしたがい、ユーザにより設定登録される選択条件を取り込んで前記記憶部に記憶するし、
メール作成時、前記制御部が、前記記憶部に設定登録された選択条件に基づき前記記憶部に記憶されたテンプレートを選択し、
前記制御部が、前記選択したテンプレートと前記ユーザインタフェース部により取り込まれるメール本文とを編集して出力すること、
を特徴とする携帯端末装置におけるテンプレートの自動選択方法。
【発明の詳細な説明】
【技術分野】
【０００１】
本発明は、特に、ＨＴＭＬ（Hyper Text Markup Language）メール作成に用いて好適な、携帯端末装置および同装置におけるテンプレートの自動選択方法に関するものである。
【背景技術】
【０００２】
電子メールの本文をＷｅｂ（World Wide Web）ページのレイアウト等に使用するＨＴＭＬで記述したＨＴＭＬメールが知られている。
通常の電子メールでは不可能な文字の色付けやフォントサイズの変更、画像の埋め込み、表の使用等、ワープロ文書のような表現が可能である。
【０００３】
従来、上記したＨＴＭＬメールに関して多数出願がなされており、例えば、テキスト情報とマルチメディア情報とを含む複合形式のファイルからハイパーテキスト形式のファイルを生成するデータ送受信装置が知られている（例えば、特許文献１参照）。
【０００４】
一方、最近、絵文字や背景、文字色等、様々な装飾をメールに付加するサービスが出現している。具体的には、メール本文をＷｅｂページのように装飾することが出来、背景色の設定、文字の色やサイズの変更、文字に点滅やスクロール等の表示修飾を施し、あるいは撮影画像を文中の任意の場所に挿入可能である。
【０００５】
また、キャラクタ画像等がセットされた様々なテンプレート（雛形）やＧＩＦ（Graphic Interchange Format）アニメ等の素材を提供するサイトも出現し、これらをダウンロードして取り込むことで豊かな表現が可能になる。
【０００６】
【特許文献１】特開２００７−１７２６４４号公報
【発明の開示】
【発明が解決しようとする課題】
【０００７】
しかしながら、上記した背景技術によれば、テンプレートを取り込み保存することはできても、送信相手、あるいは日付に応じてテンプレートを使用する場合、ユーザはその都度テンプレートを選択する操作が必要であり使い勝手が悪かった。
特に、外部メモリに保存するテンプレートの種類や数が増えた場合、選択にかかる時間、およびユーザに与える負担は無視できないものになっていた。
【０００８】
本発明は、テンプレートの選択を自動化することにより使い勝手の向上をはかり、ユーザ負荷の低減をはかった、携帯端末装置および同装置におけるテンプレートの自動選択方法を提供することを目的とする。
【課題を解決するための手段】
【０００９】
上記した課題を解決するために本発明の携帯端末装置は、複数のテンプレートが記憶された記憶部と、入力データを取り込んでメールを作成し、編集する制御部と、を備え、前記制御部は、メール作成時、予め設定登録された前記テンプレートの選択条件に基づき前記記憶部に記憶されたテンプレートを選択し、メールを編集するように構成したものである。
【００１０】
また、本発明の携帯端末装置において、前記メールは、メール本文に装飾を施すＨＴＭＬメールであってもよい。
【００１１】
また、本発明の携帯端末装置において、前記制御部は、前記テンプレートの選択条件を設定登録するユーザインタフェースを提供するように構成したものである。
【００１２】
また、本発明の携帯端末装置において、前記制御部は、前記設定登録されたテンプレートの選択条件に基づく前記テンプレートの選択と、手動操作による前記テンプレートの選択をオプションとするユーザインタフェースを提供するように構成してもよい。
【００１３】
また、本発明の携帯端末装置において、前記制御部は、前記テンプレートの選択条件として設定登録される、宛先、送受信履歴、スケジュール、カレンダーのうちの少なくとも一つ、もしくは組み合わせに合致するテンプレートを選択して出力するように構成したものである。
【００１４】
また、本発明の携帯端末装置において、前記制御部は、受信メールを返信する際、前記テンプレートの選択条件として設定登録される、宛先、スケジュール、カレンダー、送受信履歴のうちの少なくとも一つ、もしくは組み合わせに合致するテンプレートを選択して出力するように構成してもよい。
【００１５】
また、本発明の携帯端末装置において、前記制御部は、下書きして保存してあるメールに装飾するテンプレートを、実際の送信日付に応じて変更するように構成してもよい。
【００１６】
上記した課題を解決するために本発明の携帯端末装置におけるテンプレートの自動選択方法は、複数のテンプレートが記憶された記憶部と、ユーザインタフェース部と、制御部と、から成る携帯端末装置におけるテンプレートの自動選択方法であって、メール作成に先立ち、前記ユーザインタフェース部が、前記制御部により生成され画面表示される前記テンプレートの選択条件設定登録画面にしたがい、ユーザにより設定登録される選択条件を取り込んで前記記憶部に記憶し、メール作成時、前記制御部が、前記記憶部に設定登録された選択条件に基づき前記記憶部に記憶されたテンプレートを選択し、前記制御部が、前記選択したテンプレートと前記ユーザインタフェース部により取り込まれるメール本文とを編集して出力する。
【発明の効果】
【００１７】
本発明によれば、テンプレートの選択を自動化することにより使い勝手の向上をはかり、ユーザ負荷の低減をはかった、携帯端末装置および同装置におけるテンプレートの自動選択方法を提供することができる。
【発明を実施するための最良の形態】
【００１８】
図１は、本発明の実施の形態に係る携帯端末装置の内部構成を示すブロック図である。ここでは、携帯端末装置として、携帯電話１が例示されている。
図１に示されるように、携帯電話１は、通信部１１と、操作部１２と、音声入出力部１３と、スピーカ１４と、マイクロフォン１５と、表示部１６と、記憶部１７と、制御部１８と、により構成される。
【００１９】
通信部１１は、複数の通信システムを捕捉し、例えば、ＣＤＭＡ２０００ １ｘ（以下、単に１ｘという）やＥＶＤＯの通信プロトコルにしたがい、不図示の移動通信網に接続される基地局を含む網側装置との間で無線通信を行う。
なお、ＥＶＤＯ通信は、１ｘ通信よりも高速であり、１ｘ通信は、ＥＶＤＯ通信と異なり、データ通信の他に音声通信もサポートするといった特徴を有している。
【００２０】
操作部１２は、例えば、電源キー、通話キー、数字キー、文字キー、方向キー、決定キー、発信キーなど、各種の機能が割り当てられたキーを有しており、これらのキーがユーザによって操作された場合に、その操作内容に対応する信号を発生し、これをユーザの指示として制御部１８に入力する。
【００２１】
音声処理部１３は、スピーカ１４から出力される音声信号やマイクロフォン１５において入力される音声信号の処理を行う。
すなわち、音声処理部１３は、マイクロフォン１５から入力される音声を増幅し、アナログ／デジタル変換を行い、更に符号化等の信号処理を施し、デジタルの音声データに変換して制御部１８に出力する。
また、音声処理部１３は、制御部１８から供給される音声データに復号化、デジタル／アナログ変換、増幅等の信号処理を施し、アナログの音声信号に変換してスピーカ１４に出力する。
【００２２】
表示部１６は、例えば、ＬＣＤパネルや有機ＥＬ（Electro-Luminescence）パネルなどの表示デバイスを用いて構成されている。
表示部１６は、制御部１８から供給される映像信号に応じた画像を表示する。具体的には、発信時における発信先の電話番号、着信時における着信相手の電話番号、受信メールや送信メールの他に、日付、時刻、電池残量といったピクト画像、更には待受け画像の表示も含まれる。
【００２３】
上記した操作部１２と表示部１６、そして、音声入出力部１３は、携帯電話１とユーザとの間のユーザインタフェースを担うデバイスとして動作する。
【００２４】
記憶部１７は、制御部１８において処理に利用される各種のデータを記憶する。例えば、制御部１８が実行するアプリケーションプログラム、通信相手の電話番号や電子メールアドレス等の個人情報を管理するアドレス帳データ、電話やメールの送受信履歴データ、スケジュールデータ、着信音やアラーム音を再生するための音声ファイル、各種の設定データ、プログラムの処理過程で利用される一時的なデータなどを保持する。
記憶部１７は、ここでは、更に、メール作成時に使用される装飾画像等の雛形であるテンプレート（テンプレートファイル）や、ユーザによって定義されるテンプレートの選択条件（条件設定ファイル）についても所定の領域に割当てられ記憶されるものとする。詳細は後述する。
【００２５】
なお、上記した記憶部１７は、例えば、不揮発性の記憶デバイス（フラッシュメモリ）やランダムアクセス可能な記憶デバイス（ＳＲＡＭ、ＤＲＡＭ）等によって構成される。
【００２６】
制御部１８は、携帯電話１の全体的な動作を統括的に制御する。すなわち、携帯電話１の各種の処理（回線交換網を介して行われる音声通話、電子メールの作成と送受信、インターネットのＷｅｂ（World Wide Web）サイトの閲覧などの制御）が操作部１２の操作に応じて適切な手順で実行されるように、上述した各ブロックの動作（通信部１１における信号の送受信、音声入出力部１３における音声の入出力）を制御する。
【００２７】
制御部１８は、記憶部１７に格納されるプログラム（オペレーティングシステム、アプリケーションプログラム等）に基づいて処理を実行するコンピュータ（マイクロプロセッサ）を備えており、このプログラムにおいて指示された手順に従って上述した処理を実行する。
すなわち、制御部１８は、記憶部１７に格納されるオペレーティングシステムやアプリケーションプログラム等のプログラムから命令コードを順次読み込んで処理を実行する。
【００２８】
制御部１８はまた、メール作成時、操作部１２により予め設定登録されたテンプレートの選択条件に基づき記憶部１７に記憶されたテンプレートを選択し、メールの編集を行なう。詳細は後述する。
【００２９】
図２は、上記した制御部１８の内部構成を機能展開して示したブロック図である。
【００３０】
図２に示されるように、制御部１８は、主制御部１８０と、ユーザインタフェース（ＵＩ）管理部１８１と、条件設定画面生成部１８２と、条件設定登録部１８３と、メール作成データ取得部１８４と、テンプレート選択部１８５と、メール作成・編集部１８６と、メール送受信インタフェース部１８７と、により構成される。
【００３１】
なお、テンプレートファイル１７１と、条件設定ファイル１７２、ならびに、条件設定ファイル１７２に定義され記憶されるテンプレート選択のための設定条件に基づき参照されるアドレス帳データ１７３、送受信履歴データ１７４、スケジュールデータ１７５等は、記憶部１７の特定の領域に割当てられ記憶されるものとする。
【００３２】
ＵＩ管理部１８１は、操作部１２と表示部１６、あるいは音声入出力部１３を用いてユーザとの間のマンマシンインタフェースを司るものであり、ここでは、特に、操作部１２と表示部１６を使用してテンプレートの選択条件を設定登録する際のユーザインタフェースを提供する部分に特化して説明を行う。
【００３３】
条件設定画面生成部１８２は、メール作成に先立ち、主制御部１８０による制御の下で、例えば、図５（ａ）に示されるテンプレート選択のための条件設定登録画面に関する情報を生成し、ＵＩ管理部１８１経由で表示部１６に表示する機能を有する。
【００３４】
条件設定登録部１８３は、ユーザが、表示部１６に表示された条件設定登録画面にしたがい操作部１２を操作することによって作成される、例えば、図５（ｂ）に一例が示されるテンプレート選択のための条件定義を取り込み、記憶部１７の所定の領域に割当てられた条件設定ファイル１７２に記憶するための設定登録を行なう機能を有する。図５（ａ）（ｂ）についての詳細は後述する。
【００３５】
メール作成データ取得部１８４は、メール作成時、ユーザが操作部１２を操作することにより入力される宛先や表題等のメールヘッダに相当するデータ項目、およびメール本文に関するデータ項目を取り込んでメール作成・編集部１８６に供給する機能を有する。
【００３６】
テンプレート選択部１８５は、メール作成時、記憶部１７の所定の領域に割り付けられ記憶された条件設定ファイル１７２に基づき、アドレス帳データ１７３、送受信履歴データ１７４、スケジュールデータ１７５等を参照して合致するテンプレートをテンプレートファイル１７１から取得してメール作成・編集部１８６へ出力する機能を有する。
【００３７】
メール作成・編集部１８６は、メール作成データ取得部１８４により取得されたメール本文に係るデータと、テンプレート選択部１８５により選択され取得されるテンプレートとに基づきメールを作成し、もしくは編集し、ユーザによるメールの作成、編集終了の指示を待ってメール送受信インタフェース部１８７に出力する機能を有する。
【００３８】
メール送受信インタフェース部１８７は、メール作成・編集部１８６により作成され、あるいは編集されるメールを宛先として指示される携帯電話に対して通信部１１経由で送信し、あるいは他の携帯端末から送信されるメールを受信してＵＩ管理部１８１経由で表示部１６に表示するために出力する。
【００３９】
なお、主制御部１８０は、上記したＵＩ管理部１８１、条件設定画面生成部１８２、条件設定登録部１８３、メール作成データ取得部１８４、テンプレート選択部１８５、メール作成・編集部１８６、メール送受信インタフェース部１８７のシーケンス制御を行い、メール作成時、入力データの所定のデータ項目に基づき記憶部１７の所定の領域に割当てられ記憶された条件設定ファイル１７２を参照して合致するテンプレートをテンプレートファイル１７１の中から選択してメールを編集する制御部１８としての機能を実現する。
【００４０】
図３および図４は、本発明の実施の形態に係る携帯端末装置の動作を示すフローチャートであり、条件設定ファイル生成処理（図３）、テンプレート選択処理（図４）のそれぞれを示す。
以下、図３、図４のフローチャート、ならびに図５（ａ）（ｂ）に示すテンプレート選択のための条件設定登録画面を参照しながら、図１、図２に示す本発明の実施の形態に係る携帯端末装置の動作について詳細に説明する。
【００４１】
図３のフローチャートに示す「条件設定ファイル生成処理」から説明する。メール作成にあたり、主制御部１８０によるシーケンス制御の下、まず、条件設定画面生成部１８２が起動され、条件設定画面生成部１８２は、例えば、図５（ａ）に示す条件設定画面を表示するための表示情報を生成し、ＵＩ管理部１８１経由で表示部１６に表示する（ステップＳ３１）。
【００４２】
図５（ａ）に示す条件設定画面構成例によれば、優先順にテンプレート選択のための条件が定義されるように構成されており、この条件設定画面を閲覧したユーザが操作部１２を操作することにより選択条件が定義される。
ここでは、テンプレートの選択条件を、宛先、送受信履歴の順に設定したとする。
【００４３】
次に、図５（ｂ）に示す画面に遷移し、条件に一致した場合に選択されるテンプレートを設定する。
例えば、優先度１の条件が「宛先」となっており、宛先に相当するＡさんが誕生日の場合は、「誕生日おめでとう」のテンプレートを選択するように、あるいは、優先度２の条件が「送受信履歴」になっている。
そして、例えば、Ａさんと一定期間連絡をとっていなかった場合には、「お久しぶりです」のテンプレートを選択するように具体的に定義する。
このとき、保存場所も含めて定義してもよい。
【００４４】
なお、選択条件としては、他に、スケジュールや各種イベント等に関する日付が考えられる。
【００４５】
続いて、図５（ｃ）に示す画面に遷移し、ここで、テンプレートの自動選択を実行するか否かを問い合わせるメッセージが表示され、これに対して、Ｙｅｓ／Ｎｏを選択入力することにより、主制御部１８０が管理するテンプレート自動選択フラグ（不図示）がＯＮ、もしくはＯＦＦに設定される。
なお、上記のように、条件設定画面（図５（ａ）（ｂ））と、自動選択設定画面図（５（ｃ））を別に設計することなく、例えば、図５（ｂ）の条件設定画面の任意の場所にテンプレートの自動選択の実行を指示するボタンを割付け、このボタンを押下することにより、上記したテンプレート自動選択フラグをＯＮ設定してもよい。
【００４６】
すなわち、図３のフローチャートの説明に戻ると、ユーザが表示部１６に表示された条件設定画面を閲覧することにより優先度順に条件設定入力を行う（ステップＳ３２“Ｙｅｓ”）。
条件設定登録部１８３が、これをＵＩ管理部１８１経由で取り込み（ステップＳ３３）、テンプレート自動選択フラグがＯＮ設定されたいた場合、（ステップＳ３４“Ｙｅｓ”）、例えば、図５（ｂ）に示すユーザ定義が保存場所も含めて条件設定ファイル１７２として生成される。
ここで生成された条件設定ファイル１７２は、条件設定登録部１８３による制御の下で記憶部１７の指定された所定の領域に記憶される（ステップＳ３５）。
【００４７】
次に、図４のフローチャートに示す「テンプレート選択処理」について説明する。
【００４８】
上記により条件設定登録処理がなされた後、ユーザがメール作成（新規作成、あるいは返信）を操作部１２のボタン操作により選択すると（ステップＳ４１“Ｙｅｓ”）、主制御部１８０は、テンプレートの自動選択フラグのＯＮ／ＯＦＦを判別する（ステップＳ４２）。
テンプレートの自動選択フラグは、主制御部１８０によって管理され、図５（ｃ）に示される自動選択設定画面にて、ユーザがテンプレートの自動選択を実行することを意思表示したときにＯＮ設定されるものである。
【００４９】
テンプレートの自動選択フラグがＯＮ設定されていた場合（ステップＳ４２“Ｙｅｓ”）、テンプレート選択部１８５は、記憶部１７に記憶された条件設定ファイル１７２のデータを読み込む（ステップＳ４３）。
テンプレート選択部１８５は、一番優先度が高く、読み込んだ条件設定ファイル１７２に定義された条件に合致するテンプレートファイル１７１を選択し、ここで選択されたテンプレートをメール作成・編集部１８６に引き渡す（ステップＳ４４）。
【００５０】
なお、このときテンプレート選択部１８５は、条件設定ファイル１７２に設定登録された条件によっては、アドレス帳データ１７３、送受信履歴データ１７４、スケジュールデータ１７５等を参照し、条件設定ファイル１７２に定義された条件に該当するデータを読み込んでテンプレートファイル１７１を選択する。
【００５１】
例えば、宛先が、３週間ほど連絡を取っていないＡさんの場合、「お久しぶりです」のテンプレートを選択するように条件設定ファイル１７２に定義されていた場合、テンプレート選択部１８５は、その条件にしたがい、アドレス帳データ１７３ならびに送受信履歴データ１７４を参照してＡさんのアドレスに３週間程度電話やメールの送受信履歴がないことを確認したうえでテンプレートファイル１７１から該当のテンプレートを取得し、メール作成・編集部１８６に引き渡す。
【００５２】
一方、メール作成・編集部１８６には、テンプレート選択部１８５によって引き渡された該当のテンプレートの他に、メール作成データ取得部１８４により取り込まれたメール本文データも入力されている。
したがって、メール作成・編集部１８６は、該当のテンプレートに、メール作成データ取得部１８４が取り込んだメール本文データを埋め込む等の編集処理を行い（ステップＳ４５）、表示部１６に表示するとともに、編集終了後に操作部１２によるユーザの送信指示を得て、メール送受信インタフェース部１８７に出力する。メール送受信インタフェース部１８７は、通信部１１経由で作成したメールを宛先の携帯電話へ送信する（ステップＳ４６）。
【００５３】
なお、送信メールに限らず、受信メールを返信する場合にも同様、宛先もしくは日付等設定登録された条件に基づきテンプレートの選択が可能である。
また、テンプレート選択部１８５およびメール作成・編集部１８６は協働して下書き保存してあるメールに装飾するテンプレートを、実際の送信日付に応じて変更することも可能である。
【００５４】
以上説明のように本発明の実施の形態に係る携帯端末装置によれば、予めテンプレート選択のための条件設定登録を行なうことにより、メール作成時に設定されたテンプレートが自動的に選択されるため、ユーザはテンプレートの選択操作から解放され、したがって操作負荷が低減される。
また、テンプレートの自動選択の他に、手動操作によるテンプレート選択もオプションとして持つため、柔軟な対応が可能である。更に、返信メールについても同様、効果的なテンプレートの利用が可能である。
【００５５】
また、例えば、宛先に相当する人の誕生日や結婚記念日等のイベントと、送信日付とを連動させてテンプレートを選択することで、携帯電話１を操作してメールを送受信している限りはそのイベントを思い出す契機になり、テンプレートの条件設定のためのユーザインタフェースを提供することでユーザは個人の記念日等に対応してテンプレートを選択することができ、したがって、使い勝手が増す他に利便性も得ることができる。
【００５６】
なお、上記した本発明の実施の形態に係る携帯端末装置によれば、携帯端末装置として携帯電話１のみ例示したが、同様の構成を有する、例えば、ＰＣ、ＰＤＡ（Personal Digital Assistants）、ゲーム機等にも同様に適用が可能である。
【００５７】
また、図２に示す本発明の実施の形態に係る携帯端末装置が有する各構成ブロックの機能は、全てをソフトウェアによって実現しても、あるいはその少なくとも一部をハードウェアで実現してもよい。
例えば、制御部１８を構成する、主制御部１８０と、ＵＩ管理部１８１、条件設定画面生成部１８２、条件設定登録部１８３、メール作成データ取得部１８４、テンプレート選択部１８５、メール作成・編集部１８６、メール送受信インタフェース部１８７におけるデータ処理は、１または複数のプログラムによりコンピュータ上で実現してもよく、また、その少なくとも一部をハードウェアで実現してもよい。
【００５８】
また、本発明の実施の形態に係る携帯端末装置におけるテンプレートの自動選択方法は、例えば、図１において、複数のテンプレートが記憶された記憶部１７と、ユーザインタフェース部（操作部１２と表示部１６）と、制御部１８と、から成る携帯端末装置（携帯電話１）におけるテンプレートの自動選択方法であって、例えば、図３、図４において、メール作成に先立ち、前記ユーザインタフェース部が、前記制御部により生成され画面表示される前記テンプレートの選択条件設定登録画面にしたがい、ユーザにより設定登録される選択条件を取り込んで前記記憶部に記憶し（図３のステップＳ３１〜Ｓ３５）、メール作成時、前記制御部が、前記記憶部に設定登録された選択条件に基づき前記記憶部に記憶されたテンプレートを選択し（図４のＳ４１〜Ｓ４４）、前記制御部が、前記選択したテンプレートと前記ユーザインタフェース部により取り込まれるメール本文とを編集して出力する（図４のステップＳ４５）、ものである。
【００５９】
上記した本発明の実施の形態に係る携帯端末装置におけるテンプレートの自動選択方法によれば、テンプレートの選択を自動化することで使い勝手の向上をはかり、ユーザ負荷の低減をはかることができる。
【図面の簡単な説明】
【００６０】
【図１】本発明の実施の形態に係る携帯端末装置の内部構成を示すブロック図である。
【図２】図１に示す制御部の内部構成を機能展開して示したブロック図である。
【図３】本発明の実施の形態に係る携帯端末装置の条件設定ファイル生成処理の動作を示すフローチャートである。
【図４】本発明の実施の形態に係る携帯端末装置のテンプレート選択処理の動作を示すフローチャートである。
【図５】本発明の実施の形態に係る携帯端末装置の条件設定画面の画面構成の一例を示す図である。
【符号の説明】
【００６１】
１…携帯電話、１１…通信部、１２…操作部、１３…音声入出力部、１４…スピーカ、１５…マイクロフォン、１６…表示部、１７…記憶部、１８…制御部、１７１…テンプレートファアル、１７２…条件設定ファイル、１７３…アドレス帳データ、１７４…送受信履歴データ、１７５…スケジュールデータ、１８０…主制御部、１８１…ユーザインタフェース（ＵＩ）管理部、１８２…条件設定画面生成部、１８３…条件設定登録部、１８４…メール作成データ取得部、１８５…テンプレート選択部、１８６…メール作成・編集部、１８７…メール送受信インタフェース部。
【図１】
2009157776.tif 000003
【図２】
2009157776.tif 000004
【図３】
2009157776.tif 000005
【図４】
2009157776.tif 000006
【図５】
2009157776.tif 000007